(57)【要約】      （修正有）【課題】ＬＥＤを使用する車両照明の判別可能な領域も提供する車両照明アセンブリを提供する。【解決手段】環状に配列されている複数のＬＥＤを有する単一のランプ１０を備え、バックサイドからフロントサイドに延在し、照明すべき視野に配向されているリフレクタ軸を有するリフレクタボディ３０を備え、フロントサイドに形成されており、軸方向に延在する１つまたは複数の壁によって区切られている複数の反射面を備え、ランプの少なくとも一部を収容するために寸法および形状が定められている挿入通路を備え、第１の反射面３２と第２の反射面３４を区切る軸方向に延在する少なくとも１つの壁３６の平面延在部と交差し、この平面延在部は少なくとも１つの第１のＬＥＤと少なくとも１つの第２のＬＥＤとの間においてランプと交差し、第１のＬＥＤからの光は第１の反射面に、第２のＬＥＤからの光は第２の反射面に向かって照射される。【選択図】図４
2007027107.tif 000002
【特許請求の範囲】
【請求項１】
車両照明アセンブリにおいて、
遠位の端部および該遠位の端部の周囲において環状に配列されている複数のＬＥＤを有する単一のランプを備え、
リフレクタ軸を有するリフレクタボディを備え、前記リフレクタ軸は前記リフレクタボディのバックサイドから前記リフレクタボディのフロントサイドに延在し、照明すべき視野に配向されており、
前記リフレクタボディの前記フロントサイドに形成されている複数の反射面を備え、該反射面は軸方向に延在する１つまたは複数の壁によって区切られており、
前記リフレクタボディに形成されている挿入通路を備え、該挿入通路は前記ランプの少なくとも一部を収容するために寸法および形状が定められており、第１の反射面と第２の反射面を区切る軸方向に延在する少なくとも１つの壁の平面延在部と交差し、該平面延在部は少なくとも１つの第１のＬＥＤと少なくとも１つの第２のＬＥＤとの間において前記ランプと交差し、前記第１のＬＥＤからの光は実質的に前記第１の反射面に向かって照射され、前記第２のＬＥＤからの光は実質的に前記第２の反射面に向かって照射されることを特徴とする、車両照明アセンブリ。
【請求項２】
前記リフレクタボディは、軸方向に延在するそれぞれの中間壁によって第１の反射面と第２の反射面との間において分割されており、前記ランプは前記第１の反射面に配向されている１つまたは複数の第１の色のＬＥＤと、前記第２の反射面に配向されている１つまたは複数の第２の色のＬＥＤとを有する、請求項１記載の車両照明アセンブリ。
【請求項３】
前記リフレクタボディは、軸方向に延在するそれぞれの中間壁によって反射面の第１のセットと反射面の第２のセットとの間において分割されており、前記ランプは前記反射面の第１のセットに配向されている１つまたは複数の第１の色のＬＥＤの第１のセットと、前記反射面の第２のセットに配向されている第２の色のＬＥＤの第２のセットとを有する、請求項１記載の車両照明アセンブリ。
【請求項４】
前記挿入通路は前記リフレクタボディの表面の中央に形成されており、軸方向に延在する複数の壁は前記挿入通路から前記リフレクタボディの円周の端部に向かって放射状に延在し、該リフレクタボディを複数の反射面に分割する、請求項１記載の車両照明アセンブリ。
【請求項５】
前記複数の壁は隣接する壁の間において等しい角度を形成する、請求項１記載の車両照明アセンブリ。
【請求項６】
前記ランプはベース端部、該ベース端部からランプ軸に沿って遠位の端部へと延在する中間セクションとを有し、前記ＬＥＤは前記遠位の端部の一部の周囲において環状に配列されている、請求項１記載の車両照明アセンブリ。
【発明の詳細な説明】
【技術分野】
【０００１】
本発明は、車両照明アセンブリに関する。
【背景技術】
【０００２】
車両製造業者は車両に使用するための光源として発光ダイオード（ＬＥＤ）を急速に採用している。ＬＥＤは白熱ランプを上回る多くの利点をもたらし、また殊に比較的薄いパッケージに実装することができるが、これは例えばランプの長さを収容するためにより小さいトランク容積を必要とする。ランプをより小さく製造することは必ずしも良いことばかりではない。信号灯は意図されているメッセージを観察者が頭の中で識別できるように視覚的に区別できるものでなくてはならない。このことは白熱ランプでは異なる信号が視覚的に相互に重畳しない、または混ざり合わないように十分離して間隔を空けることによって達成される。ＬＥＤランプは分割することができるが、ＬＥＤランプはコストが比較的高くなる可能性があり、また多数のランプは経済的ではない。
【発明の開示】
【発明が解決しようとする課題】
【０００３】
したがって本発明の課題は、ＬＥＤを使用するが車両における照明の判別可能な領域も提供する車両照明アセンブリを提供することである。
【課題を解決するための手段】
【０００４】
この課題は、車両照明アセンブリが遠位の端部およびこの遠位の端部の周囲において環状に配列されている複数のＬＥＤを有する単一のランプを備え、リフレクタ軸を有するリフレクタボディを備え、リフレクタ軸はリフレクタボディのバックサイドからリフレクタボディのフロントサイドに延在し、照明すべき視野に配向されており、リフレクタボディのフロントサイドに形成されている複数の反射面を備え、この反射面は軸方向に延在する１つまたは複数の壁によって区切られており、リフレクタボディに形成されている挿入通路を備え、この挿入通路はランプの少なくとも一部を収容するために寸法および形状が定められており、第１の反射面と第２の反射面を区切る軸方向に延在する少なくとも１つの壁の平面延在部と交差し、この平面延在部は少なくとも１つの第１のＬＥＤと少なくとも１つの第２のＬＥＤとの間においてランプと交差し、第１のＬＥＤからの光は実質的に第１の反射面に向かって照射され、第２のＬＥＤからの光は実質的に第２の反射面に向かって照射されることによって解決される。
【発明を実施するための最良の形態】
【０００５】
車両照明アセンブリを周囲に環状に複数のＬＥＤ光源が配列されているランプから構成することができる；リフレクタ軸を有するリフレクタボディは一般的に照明すべき視野に配向されている。複数の反射面はフロントサイドに形成されており、それぞれの反射面は軸方向に延在する１つまたは複数の壁によって分割されている。挿入通路はリフレクタボディ内に形成され、ランプの一部を収容するために寸法および形状が定められており、また第１の反射面を第２の反射面から分離する軸方向に延在する壁の内の少なくとも１つの壁の平面延在部と交差する。平面延在部は第１のＬＥＤと第２のＬＥＤとの間においてランプと交差し、ここで第１のＬＥＤからの光は実質的に第１の反射面に向かって照射され、また第２のＬＥＤからの光は第２の反射面に向かって照射される。
【実施例】
【０００６】
図１はＬＥＤランプ１０の遠位の端部を示す。ＬＥＤランプは、公知のようにＬＥＤに給電するための電気的な接続部とランプとを機械的に連結させるためのベースを有する。ランプ１０は公知のようにあらゆる適切な機械的なベースおよび電気的な接続部を有することができる。コンセント接続部とのバヨネット式の連結も許容される。ランプ１０は軸方向１２で遠位の端部へと延在している。遠位の端部の周囲には複数のＬＥＤ１４が配列されている。有利な実施形態においてはＬＥＤ１４がリングとして軸１２の周りに配列されており、有利には軸１２の周りに角度的に等しい間隔をおいて配列されている。各ＬＥＤはＬＥＤ１４から受光した光を一般的に軸１２から遠ざかる方向に配向する１つまたは複数の隣接する光学反射面１６と関連付けられている。１つまたは複数の付加的なＬＥＤのリング１８を設けてもよい。
【０００７】
図２はＬＥＤのリングの概略的な断面図を示す。ＬＥＤは少なくとも２つの別個のセットを有する。第１のセット２０を軸の周りの第１の角度セグメント内に配列することができ、また第２のセット２２を軸の周りの残りの角度セグメント内に配列することができる。付加的に第１のセット２０は第１の色を提供することができ、また第２のセット２２は第２の色を提供することができる。例えば、第１のセットを軸の周りの１°〜１８０°の間に配列して赤色を提供させ、第２のセットを軸の周りの１８０°〜３６０°の間に配列して白色を提供させることができる。ＬＥＤの第１のセット２０を照明のために１つのグループとして電気的に接続させることができ、第２のセット２２も同様に照明のために１つのグループとして電気的に接続させることができる。
【０００８】
図３はＬＥＤのリングの別の概略的な断面図を示す。付加的にＬＥＤを交番的なパターンで配列することができ、１つまたは複数の第１のタイプのＬＥＤ２４、例えば赤色ＬＥＤを１つまたは複数の第２のタイプのＬＥＤ２６、例えば白色ＬＥＤの隣に交番的なパターンで配列することができる。第１のセット（複数の白色ＬＥＤのセットと交番的に配列されている複数の赤色ＬＥＤのセット）の各グループに１つまたは複数のＬＥＤが設けられていても良く、また２つまたはそれ以上のタイプのＬＥＤが交番的なパターンで設けられていても良い。例えば赤色、白色および琥珀色のＬＥＤを交番的に設けることができる。さらには共通する色のＬＥＤのセットを照明のために１つのグループとして電気的に接続することができる。
【０００９】
図４は概略的なランプ１０およびリフレクタ３０のアセンブリを示す。ＬＥＤランプによって放射された光がリフレクタ３０を構成している反射面から視野へと反射されるように、ランプ１０はリフレクタ３０によって包囲されている。有利な実施形態においては、リフレクタ３０が少なくとも１つの第１の反射領域３２と少なくとも１つの第２の反射領域３４とを有し、第１の反射領域３２はＬＥＤの第１のセット（例えばセット２０）と関連付けられており、第２の反射領域３４はＬＥＤの第２のセット（例えばセット２２）と関連付けられている。有利には、第１の反射領域３２と第２の反射領域３４の間には軸方向に延在する１つまたは複数の壁３６，３８が設けられており、これらの壁は第１の反射領域３２と第２の反射領域３４を隔てている。リフレクタ３０はランプ１０の挿入部を収容するための挿入通路と共に形成されている。挿入通路は有利には壁３６，３８の端部を基準にして位置決めされているので、壁の端部は遠位のランプ端部に支持されているＬＥＤのセットの間に整列されている。ＬＥＤの各セットはそれぞれの壁の間に整列され、リフレクタのそれぞれの適切なセクションのみを照明する。例えば、ランプ１０が挿入通路において適切に置決めされており、それぞれの壁３６，３８を基準にして周方向に整列されている場合には、ＬＥＤの第１のセット２０は領域３２にのみ面し、またＬＥＤの第２のセット２２は領域３４にのみ面する。このようにしてＬＥＤの第１のセット２０から放射される光は第１の反射領域３２のみによって視野に反射されるので、第２の反射領域３４には漏れない、またはそうでなくても第２の反射領域３４を照明しない。同様にＬＥＤの第２のセット２２から放射される光は第２の反射領域３４のみによって視野に反射されるので、第１の反射領域３２には漏れない、またはそうでなくても第１の反射領域３２を照明しない。
【００１０】
図５は別の概略的なランプおよびリフレクタのアセンブリを示す。相応にリフレクタ４０は複数の交番的な反射領域４２，４４に分割され、またその中心に位置するランプ１０の周囲に多数のセグメントが延在するように外に向かって延在している。図５の相応の反射領域（４２，４４など）は図３のＬＥＤのそれぞれのセット（２４，２６など）と関連付けられており、ＬＥＤのそれぞれのセットからの光のみが相応の反射領域を照明し、またこの相応の反射領域によって反射される。
【００１１】
リフレクタとランプとの間のバヨネット継ぎ手は好適であるが、連結はねじ結合、クリップ結合、摩擦力結合、素材結合も考えられ、もしくは類似のやり方で達成することができる。ベースはＬＥＤに給電するための電気的な接続部を収容するための電気ソケットを有することができる。電気回路をアセンブリ内に包含させることができ、例えば電圧または電流の調節、温度の補償、電圧または電流の安全制御のための回路、切り換え手段などを包含させることができる。当業者には公知であるように、ＬＥＤからの熱の発散はＬＥＤの性能および寿命を改善し、また有利には銅または同様の高伝熱性材料をＬＥＤランプの構造に使用し、ＬＥＤからの熱を外部のヒートシンク、例えば露出した金属ディスクまたは熱伝性金属フィンに誘導することができる。
【００１２】
リフレクタボディはリフレクタ軸を有し、このリフレクタ軸はリフレクタボディのバックサイドからリフレクタボディのフロントサイドへと延在しており、また一般的に照明すべき視野へと配向されている。リフレクタのフロントサイドは複数の反射面に分割されている。反射面は１つまたは複数の壁によって区切られており、これらの壁はリフレクタ軸方向において１つの方向に延在している。これらの壁は有利には反射面の領域を最大にするために可能な限り薄く、それと同時に非透光性であるので、第１の反射面を照明する光が第２の反射面に漏れることはない。リフレクタボディはバックサイドからフロントサイドへと延在する所定の挿入通路も有する。挿入通路はランプ１０の少なくとも一部を収容するために形状および寸法が定められているので、ランプ１０はバックサイドから挿入通路を介して挿入されてＬＥＤを露出させ、リフレクタボディのフロントサイドにおける遠位の端部３６に存在する。ＬＥＤからの光はそれぞれの反射面を照明することができる。
【００１３】
好適な挿入通路は反射面を区切る壁から軸方向に延在する少なくとも１つ、有利には複数の平面延在部と交差するよう位置決めされている。換言すれば、有利な区切り壁は所定の通路から放射状に延びている。ランプ１０が区分けされた容積に露出される挿入通路の周囲では、壁がリフレクタボディのフロントサイドにおいて空間を分割している。第１の壁は第２の反射面から第１の反射面を隔てる。これは第２の壁についても同様である。有利な実施形態においてはランプが区切り壁の平面延在部と交差し、その間には隣接するＬＥＤのセットが配置されている。第１の壁の平面延在部は少なくとも１つの第１のＬＥＤと少なくとも１つの第２のＬＥＤとを隔て、第１のＬＥＤからの光は実質的に第１の反射面に向かって放射され、また第２のＬＥＤからの光は第２の反射面に向かって放射され、中間壁はこれらの反射面間のブロックとして作用する。同様に他の壁セクションはＬＥＤの他のセットから放射された光を隔てることができ、それぞれの光が対応する反射面にのみ照射される。
【００１４】
ＬＥＤのセットのうちのいずれかのセットに１つまたは複数のＬＥＤを設けてもよく、そのＬＥＤの光は特定の反射面に配向されている。２つまたはそれ以上のＬＥＤを特定の反射面の照明に関連付けて、他の反射面には関連付けしないことも可能である。一般的に、第１の色の組み合わせを提供するＬＥＤは反射面の第１のセットを照明し、他方では第２の色の組み合わせを提供するＬＥＤが異なる反射面のセットを照明する。それ以外にも種々の反射面を種々の方式で挿入通路の周りに整列することができる。有利な実施形態においては、リフレクタボディが挿入通路の周りにおいて、挿入通路に位置決めされている中心から放射状に延びる大きさの等しいパイスライスとして角度の等しいセクションに分割されている。
【００１５】
有利な実施形態においては、共通の挿入通路において開かれている区画に放物面反射器を分割する１つまたは複数の垂直な壁によって分割された放物面反射器の一般的な形状を有する成形プラスチックからリフレクタボディが構成されている。種々の区画はＬＥＤのそれぞれのセットからの光を受光するためにのみ必要とされるので、それぞれのＬＥＤに隣接する開放窓または透光性窓を介して露出させることができる。
【００１６】
本発明の有利な実施形態と見なされるものについて示し、説明してきたが、付属の特許請求の範囲によって定義されている本発明の範囲を逸脱することなく多様な変更および改良を行えることは当業者にとって明らかであろう。
【図面の簡単な説明】
【００１７】
【図１】ＬＥＤランプの遠位の端部。
【図２】ＬＥＤのリングの概略的な断面図。
【図３】ＬＥＤのリングの別の概略的な断面図。
【図４】概略的なランプおよびリフレクタのアセンブリ。
【図５】別の概略的なランプおよびリフレクタのアセンブリ。
【図１】
2007027107.tif 000003
【図２】
2007027107.tif 000004
【図３】
2007027107.tif 000005
【図４】
2007027107.tif 000006
【図５】
2007027107.tif 000007